(57)【特許請求の範囲】
【請求項１】
制御盤本体と、
前記制御盤本体内に取り付けられたサーボアンプと、
前記制御盤本体内に取り付けられ前記サーボアンプの上方に位置する回生抵抗器と、
前記制御盤本体内に取り付けられ前記サーボアンプに並置された電磁開閉接触器と、
前記制御盤本体内に取り付けられ前記電磁開閉接触器の上方に位置し前記サーボアンプに略並置された端子台と、
を有する制御盤において、
前記サーボアンプは内蔵したパワー素子を冷却するためのヒートシンクと、
前記ヒートシンクに風をおくるために前記サーボアンプ真下に設けられた少なくとも２個の電動ファンと、
前記電動ファンの真下に位置する前記制御盤本体の底面に設けた開口部と、
前記開口部に隙間なく嵌挿した管継手と、
前記管継手に接続するパイプ部品と、
を備え、
前記パイプ部品は一端が管継手の大径部に嵌挿され、他端が電動ファンの外側面に近接するように設けられ、前記パイプ部品の長さは、前記管継手より突出する該パイプ部品の先端と前記電動ファンとの隙間が前記管継手の前記制御盤本体からの飛び出し長さよりも短くなるように調整したことを特徴とする制御盤冷却装置。
【発明の詳細な説明】
【技術分野】
【０００１】
本発明は、サーボモータを駆動するサーボアンプを保護する制御盤冷却装置に関する。
【背景技術】
【０００２】
従来、サーボアンプやコントローラなどの電子制御機器を格納する制御盤（制御ボックス）は、電子制御機器の発熱により内部温度が上昇する。電子制御機器は周囲温度が仕様範囲を超えないように使う必要があり、また、温度が高いほど電子制御機器の故障が起きやすくなるため、制御盤は十分な空間容積を確保した大きなものとするか、制御盤を小さくしたい場合は参考文献１のように強制冷却ファンを追加するなどの手段が一般的にとられている（例えば、特許文献１参照。）。
【先行技術文献】
【特許文献】
【０００３】
【特許文献１】特開２０１０−１６３２７４号公報
【発明の概要】
【発明が解決しようとする課題】
【０００４】
制御盤はスペースの関係からサイズが小さいことが望まれるが、該制御盤の内部温度を下げるために冷却ファンを追加することでコストが上昇する。
このため、制御盤を小さくしても冷却ファンを追加せずに制御盤内部温度を下げることができれば、コストを上げずに電子制御機器の信頼性を確保できる制御盤を提供することができる。
本発明は係る課題を解決するためになされたもので、制御盤を小さくしても冷却ファンを追加せずに制御盤内部温度を下げることができれば、コストを上げずに電子制御機器の信頼性を確保できる制御盤を提供することを目的とする。
【課題を解決するための手段】
【０００５】
本発明は
制御盤本体と、
前記制御盤本体内に取り付けられたサーボアンプと、
前記制御盤本体内に取り付けられ前記サーボアンプの上方に位置する回生抵抗器と、
前記制御盤本体内に取り付けられ前記サーボアンプに並置された電磁開閉接触器と、
前記制御盤本体内に取り付けられ前記電磁開閉接触器の上方に位置し前記サーボアンプに略並置された端子台と、
を有する制御盤において、
前記サーボアンプは内蔵したパワー素子を冷却するためのヒートシンクと、
前記ヒートシンクに風をおくるために前記サーボアンプ真下に設けられた少なくとも２個の電動ファンと、
前記電動ファンの真下に位置する前記制御盤本体の底面に設けた開口穴と、
前記開口穴に隙間なく嵌挿した管継手と、
前記管継手に接続するパイプ部品と、
を備え、
前記パイプ部品は一端が管継手の大径部に嵌挿され、他端が電動ファンの外側面に近接するように設けられ、前記パイプ部品の長さは、前記管継手より突出する該パイプ部品の先端と前記電動ファンとの隙間が前記管継手の前記制御盤本体からの飛び出し長さよりも短くなるように調整したことを特徴とする。
【発明の効果】
【０００６】
安価に入手可能な部品の追加で、冷却ファンを追加することなく、小さな制御盤でも制御盤内部温度が下がり、わずかなコストで制御盤内部にある電子制御機器の信頼性が向上した。
【図面の簡単な説明】
【０００７】
【図１】本発明の実施の形態に係る制御盤冷却装置の概略構造を示す正面図である。
【図２】図１の内部構造図である。正面図である。
【図３】図１の左側面図である。
【図４】図１の底面図である。
【図５】図２のサーボアンプと管継手及びパイプ部品の位置関係を示す要部詳細図である。
【図６】図２の左側面から見た拡大詳細図である。
【発明を実施するための形態】
【０００８】
以下、本明の実施の形態に係る制御盤冷装置につき好適の実施の形態を挙げ、添付図面を参照して詳細に説明する。
図１は本発明の実施の形態に係る制御盤冷却装置１０の正面図を示し、図２は図１の内部構造図、図３は図１の側面図、図４は図１の底面図をそれぞれ示す。
【０００９】
図１乃至図４に示すように、制御盤冷却装置１０は断面矩形状の制御盤本体１１を形成し、該制御盤本体内１１にはサーボアンプ１２と、前記サーボアンプ１２の上方に位置する回生抵抗器１３と、前記サーボアンプ１２に並置された電磁開閉接触器１４と、前記サーボアンプに略並置された端子台１５とを備えており、これらは制御盤本体１１の下面（図２で垂直方向）にねじ部材（図示しない）により取り付けられている。
【００１０】
図６に示すように、制御盤本体１１の底部には、パイプ部品２０（図２及び図６参照）を挿入する開口穴１８、１８が一方向，例えば図４において裏面１１ａから上下方向に間隔をおいて設けられている。
【００１１】
図６において、参照符号１９，１９は管継手を示すもので、該管継手１９、１９は小径部１９ａ，１９ａと大径部１９ｂ、１９ｂとが接合する部位に傾斜部を形成し、該傾斜部を開口部１８、１８に嵌挿して所定位置に取り付けられるようになっている。
管継手１９、１９は開口穴１８、１８に嵌挿された際に、制御盤本体１１の該開口穴１８、１８には管継手１９、１９の小径部１９ａ，１９ａを制御盤本体１１の外方に指向するように取り付け、大径部１９ｂ、１９ｂを制御盤本体１１の内方に指向するように取り付けられている。
【００１２】
参照符号２０、２０は管継手１９、１９の内径部に嵌挿されたパイプ部品を示すもので、一側が管継手１９、１９の大径部１９ｂ、１９ｂに嵌挿され、他端（パイプ部材２０、２０
の先端）が電動ファン１７、１７の外側面に近接するように設けられている。
この場合、パイプ部材２０、２０の長さは、パイプ部材２０、２０の先端と電動ファン１７、１７のすき間（距離）がパイプ部材２０、２０の制御盤からの飛び出し長さよりも短くなるように調整してある。
このため、パイプ部材２０、２０の径の小さい方を外側として制御盤の内側から穴に挿入し、サーボアンプ１２を取り付けると、パイプ部材２０、２０を固定するための部品を使わなくても、パイプ部材２０、２０は制御盤本体１１の開口穴１８、１８と電動ファン１７、１７の間で外れることなく保持される。なお、パイプ部材２０、２０の中心と電動ファン１７、１７の回転中心は概略一致するような位置関係となっており、また、パイプ部材２０、２０の径は電動ファン１７、１７の大きさと概略一致するようなサイズとしてある。
【００１３】
本発明の実施の形態に係る制御盤冷却装置１０は以上のように構成されているので、制御盤本体１１の収納されたサーボアンプ１２による発熱を冷却する際には、該サーボアンプ１２の電動ファン１７を起動させると、外気が管継手１９、パイプ部材２０よりサーボアンプ１２に流入し該サーボアンプ１２を冷却する。
一方、サーボアンプ１２を冷却した外気は制御盤本体１１を流れてルーバー２１（図３参照）より外部に排出されるので、サーボアンプ１２は常に冷却される。
なお、実施例のようにファンが複数ある場合は、ファンの数とパイプの数を同じとした方が外部からの空気吸入量が増えるのでよい。
また、実施例では制御盤の穴とパイプの断面形状を円としたが、角型や異形のパイプを用いてもよい。
【符号の説明】
【００１４】
１０  制御盤冷却装置                  １１  制御盤本体
１２  サーボアンプ                    １３  回生抵抗器
１４  電磁開閉抵抗器                  １５  端子台
１６  ヒートシンク                    １７、１７  電動ファン
１８、１８  開口穴                    １９、１９  管継手
２０、２０  パイプ部材                
【図１】
0006413204.tif 000002
【図２】
0006413204.tif 000003
【図３】
0006413204.tif 000004
【図４】
0006413204.tif 000005
【図５】
0006413204.tif 000006
【図６】
0006413204.tif 000007